【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
デジタル放送における楽曲の歌詞情報を配信している放送を受信する際に、当該歌詞情報を自動的に記憶装置に記録することによって、前記楽曲の歌詞情報を再利用可能な状態として取得可能とされていることを特徴とする歌詞情報取得システム。
【請求項２】
デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得可能とされていることを特徴とする歌詞情報取得システム。
【請求項３】
記憶装置に記録されている楽曲または現在再生されている楽曲と同一の楽曲の歌詞情報を配信するデジタル放送の番組が今後放送される予定があるか否かを検索可能とされ、
前記番組が放送される予定がある場合には、当該番組の放送の受信を予約するとともに、当該番組の放送を受信する際に、前記楽曲の歌詞情報を自動的に記憶装置に記録することによって、前記楽曲の歌詞情報を再利用可能な状態として取得可能とされていること
を特徴とする歌詞情報取得システム。
【請求項４】
記憶装置に記録されている楽曲または現在再生されている楽曲と同一の楽曲の歌詞情報を配信するデジタル放送の番組が今後放送される予定があるか否かを検索可能とされ、
前記番組が放送される予定がある場合には、当該番組の放送の受信を予約するとともに、当該番組の放送を受信する際に、前記楽曲の歌詞情報および当該歌詞情報の表示の切り替わる時間を自動的に記憶装置に記録することによって、前記楽曲の歌詞情報を再利用可能な状態として取得可能とされていること
を特徴とする歌詞情報取得システム。
【請求項５】
電子番組ガイドを用いて前記番組の放送の有無を検索可能とされていることを特徴とする請求項３または請求項４に記載の歌詞情報取得システム。
【請求項６】
前記デジタル放送において配信される楽曲の歌詞情報が既に取得されているか否かを判定し、取得されていない場合にのみ当該楽曲の歌詞情報を取得することを特徴とする請求項１、請求項３または請求項５のいずれか１項に記載の歌詞情報取得システム。
【請求項７】
前記デジタル放送において配信される楽曲の歌詞情報が既に取得されているか否かを判定し、取得されていない場合にのみ当該楽曲の歌詞情報および当該歌詞情報の表示の切り替わる時間を取得することを特徴とする請求項２、請求項４または請求項５のいずれか１項に記載の歌詞情報取得システム。
【請求項８】
デジタル放送における楽曲の歌詞情報を配信している放送を受信する際に、当該歌詞情報を自動的に記憶装置に記録することによって、前記楽曲の歌詞情報を再利用可能な状態として取得可能とされている歌詞情報取得システムを備え、
前記楽曲と同一の楽曲を再生する際に、前記記憶装置に記録されている歌詞情報を表示部に表示可能とされていること
を特徴とする歌詞表示システム。
【請求項９】
デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得可能とされている歌詞情報取得システムを備え、
前記楽曲と同一の楽曲を再生する際に、前記記憶装置に記録されている歌詞情報を表示部に表示可能とされ、かつ、前記表示部に前記歌詞情報を表示する際に、前記記憶装置に記録されている当該歌詞情報についての表示の切り替わる時間に応じて、当該歌詞情報の表示を切り換えることが可能とされていること
を特徴とする歌詞表示システム。
【請求項１０】
記憶装置に記録されている楽曲または現在再生されている楽曲と同一の楽曲の歌詞情報を配信するデジタル放送の番組が今後放送される予定があるか否かを検索可能とされ、
前記番組が放送される予定がある場合には、当該番組の放送の受信を予約するとともに、当該番組の放送を受信する際に前記楽曲の歌詞情報を自動的に記憶装置に記録することによって、前記楽曲の歌詞情報を再利用可能な状態として取得可能とされている歌詞情報取得システムを備え、
この取得した歌詞情報を前記楽曲を再生する際に表示部に表示可能とされていること
を特徴とする歌詞表示システム。
【請求項１１】
記憶装置に記録されている楽曲または現在再生されている楽曲と同一の楽曲の歌詞情報を配信するデジタル放送の番組が今後放送される予定があるか否かを検索可能とされ、
前記番組が放送される予定がある場合には、当該番組の放送の受信を予約するとともに、当該番組の放送を受信する際に前記楽曲の歌詞情報および当該歌詞情報の表示の切り替わる時間を自動的に記憶装置に記録することによって、前記楽曲の歌詞情報を再利用可能な状態として取得可能とされている歌詞情報取得システムを備え、
この取得した歌詞情報を前記楽曲を再生する際に表示部に表示可能とされ、かつ、前記表示部に前記歌詞情報を表示する際に、前記記憶装置に記録されている当該歌詞情報についての表示の切り替わる時間に応じて、当該歌詞情報の表示を切り換えることが可能とされていること
を特徴とする歌詞表示システム。
【請求項１２】
前記歌詞情報取得システムが、電子番組ガイドを用いて前記番組の放送の有無を検索可能とされていることを特徴とする請求項１０または請求項１１に記載の歌詞表示システム。
【請求項１３】
前記歌詞情報取得システムが、前記デジタル放送において配信される楽曲の歌詞情報が既に取得されているか否かを判定し、取得されていない場合にのみ当該楽曲の歌詞情報を取得することを特徴とする請求項８、請求項１０または請求項１２のいずれか１項に記載の歌詞表示システム。
【請求項１４】
前記歌詞情報取得システムが、前記デジタル放送において配信される楽曲の歌詞情報が既に取得されているか否かを判定し、取得されていない場合にのみ当該楽曲の歌詞情報および当該歌詞情報の表示の切り替わる時間を取得することを特徴とする請求項９、請求項１１または請求項１２のいずれか１項に記載の歌詞表示システム。
【請求項１５】
デジタル放送における楽曲の歌詞情報を配信している放送を受信する際に、当該歌詞情報を自動的に記憶装置に記録することによって、前記楽曲の歌詞情報を再利用可能な状態として取得すること
を特徴とする歌詞情報取得方法。
【請求項１６】
デジタル放送における楽曲の歌詞情報を配信している放送を受信する際に、当該歌詞情報および当該歌詞情報の表示の切り替わる時間を自動的に記憶装置に記録することによって、前記楽曲の歌詞情報を再利用可能な状態として取得すること
を特徴とする歌詞情報取得方法。
【請求項１７】
記憶装置に記録されている楽曲または現在再生されている楽曲と同一の楽曲の歌詞情報を配信するデジタル放送の番組が今後放送される予定があるか否かを検索し、
当該番組が放送される予定がある場合には、当該番組の放送の受信を予約するとともに、当該番組の放送を受信する際に前記楽曲の歌詞情報を自動的に記憶装置に記録することによって、前記楽曲の歌詞情報を再利用可能な状態として取得すること
を特徴とする歌詞情報取得方法。
【請求項１８】
記憶装置に記録されている楽曲または現在再生されている楽曲と同一の楽曲の歌詞情報を配信するデジタル放送の番組が今後放送される予定があるか否かを検索し、
当該番組が放送される予定がある場合には、当該番組の放送の受信を予約するとともに、当該番組の放送を受信する際に前記楽曲の歌詞情報および当該歌詞情報の表示の切り替わる時間を自動的に記憶装置に記録することによって、前記楽曲の歌詞情報を再利用可能な状態として取得すること
を特徴とする歌詞情報取得方法。
【請求項１９】
電子番組ガイドを用いて前記番組の放送の有無を検索することを特徴とする請求項１７または請求項１８に記載の歌詞情報取得方法。
【請求項２０】
前記デジタル放送において配信される楽曲の歌詞情報が既に取得されているか否かを判定し、取得されていない場合にのみ当該楽曲の歌詞情報を取得することを特徴とする請求項１５、請求項１７または請求項１９のいずれか１項に記載の歌詞情報取得方法。
【請求項２１】
前記デジタル放送において配信される楽曲の歌詞情報が既に取得されているか否かを判定し、取得されていない場合にのみ当該楽曲の歌詞情報および当該歌詞情報の表示の切り替わる時間を取得することを特徴とする請求項１６、請求項１７または請求項１９のいずれか１項に記載の歌詞情報取得方法。